(57)【要約】【課題】この発明の目的は、トレッド部を構成するトレッドゴムの損失正接の分布を適正化することにより、コーナリング走行する際のグリップ性能を維持しつつも、直進走行する際の高速耐久性が向上している自動二輪車用空気入りタイヤを提供することにある。【解決手段】自動二輪車用空気入りタイヤは、ビードコアを埋設した一対のビード部１、ビード部１からタイヤ径方向外側に延びる一対のサイドウォール部２、及び両サイドウォール部２の間にまたがって延びるトレッド部３を具える。かかるトレッド部３は、タイヤ幅方向断面で見て、隣接する領域を構成するゴムの損失正接が相互に異なる、少なくとも４つのトレッド部領域から構成されており、トレッド部領域の内、タイヤ赤道面４を含むトレッド部領域である中央トレッド部領域５を構成するゴムの損失正接が、他のトレッド部領域６を構成するゴムの損失正接よりも小さいことを特徴とする自動二輪車用空気入りタイヤである。【選択図】図２
2008189040.tif 000002
【特許請求の範囲】
【請求項１】
ビードコアを埋設した一対のビード部、ビード部からタイヤ径方向外側に延びる一対のサイドウォール部、及び両サイドウォール部間にまたがって延びるトレッド部を具え、
該トレッド部は、タイヤ幅方向断面で見て、隣接する領域を構成するゴムの損失正接が相互に異なる、少なくとも４つのトレッド部領域から構成されており、該トレッド部領域の内、タイヤ赤道面を含むトレッド部領域である中央トレッド部領域を構成するゴムの損失正接が、他のトレッド部領域を構成するゴムの損失正接よりも小さいことを特徴とする自動二輪車用空気入りタイヤ。
【請求項２】
前記トレッド部領域を構成するゴムの損失正接は、タイヤ幅方向外側に位置するトレッド部領域ほど大きい、請求項１に記載の自動二輪車用空気入りタイヤ。
【請求項３】
前記他のトレッド部領域を構成するゴムの損失正接が、前記中央トレッド部領域を構成するゴムの損失正接の１０５〜１５０％の範囲内にある、請求項１又は２に記載の自動二輪車用空気入りタイヤ。
【請求項４】
前記トレッド部は、前記中央トレッド部領域、トレッド接地端を含む二つのショルダートレッド部領域、該中央トレッド部領域とショルダートレッド部領域とで挟まれる二つの中間トレッド部領域からなる、請求項１〜３のいずれか一項に記載の自動二輪車用空気入りタイヤ。
【請求項５】
前記中央トレッド部領域の幅はトレッド幅の０．１５〜０．３５倍の範囲内にあり、前記二つの中間トレッド部領域の幅の和はトレッド幅の０．２５〜０．８０倍の範囲内にあり、前記二つのショルダートレッド部領域の幅の和はトレッド幅の０．０５〜０．４０倍の範囲内にある、請求項４に記載の自動二輪車用空気入りタイヤ。
【請求項６】
前記ショルダートレッド部領域を構成するゴムの損失正接が、前記中間トレッド部領域を構成するゴムの損失正接の１０５〜１３５％の範囲内にある、請求項４又は５に記載の自動二輪車用空気入りタイヤ。
【発明の詳細な説明】
【技術分野】
【０００１】
この発明は、ビードコアを埋設した一対のビード部、ビード部からタイヤ径方向外側に延びる一対のサイドウォール部、及び両サイドウォール部間にまたがって延びるトレッド部を具える自動二輪車用空気入りタイヤ、特にはドライ路面を高速走行するための自動二輪車用空気入りタイヤに関するものであり、かかる自動二輪車用空気入りタイヤのコーナリング走行時のグリップ性能及び直進走行時の高速耐久性の向上を図る。
【背景技術】
【０００２】
自動二輪車用空気入りタイヤは、直進走行時には、トラクション性能によりその駆動力が規定される。優れたトラクション性能は、トレッド部をモジュラス及びゴム硬度が大きく、損失正接の小さなゴムで構成することにより得られる。また、自動二輪車用空気入りタイヤは、コーナリング走行時に、バンキングすることで旋回する。このとき、主としてトレッド部のショルダー領域が路面に接地し、そのショルダー領域と路面との摩擦力が遠心力に抗することでバランスをとり、コーナリング走行が達成される。かかる摩擦力は、自動二輪車用空気入りタイヤのグリップ性能と相関する。優れたグリップ性能は、トレッド部をモジュラス及びゴム硬度が小さく、損失正接の大きなゴムで構成することにより得られる。このことから、特にコーナリング性能の重視される又はコーナリング走行を多用するレース用タイヤでは、トレッド部全体のゴム硬度及びモジュラスを小さくし、損失正接を大きくした自動二輪車用空気入りタイヤが使用されてきた。しかし、かかる自動二輪車用空気入りタイヤでは、コーナリング走行時のグリップ性能は充分に確保されるものの、直進走行時のトレッド接地域におけるトレッド部の損失正接が大き過ぎることから、トレッド部の故障の原因となる発熱を抑えることができない場合がある。
【０００３】
そこで、例えば、特許文献１及び２に記載されているように、タイヤ赤道面を含む中央トレッド部領域と、かかる中央トレッド部領域を挟んで位置する両ショルダートレッド部領域の３つのトレッド部領域からなるトレッド部を具え、中央トレッド部領域を損失正接の小さなゴムで構成し、ショルダートレッド部領域を損失正接の大きなゴムで構成することにより、コーナリング走行時には、損失正接の大きなゴムによりグリップ性能を確保し、直進走行時には、損失正接の小さなゴムによりトラクション性能を確保しつつ、発熱を抑制した自動二輪車用空気入りタイヤが開発されている。
【０００４】
また、特許文献３に記載されているように、トレッド部が、タイヤ赤道面を含む中央トレッド部領域と、かかる中央トレッド部領域を挟んで位置する両ショルダートレッド部領域の３つのトレッド部領域からなるトレッド部を具え、中央トレッド部領域をヒステリシスの小さなゴムで構成し、ショルダートレッド部領域をヒステリシスの大きなゴムで構成することにより、コーナリング走行時には、ヒステリシスの大きなゴムによりグリップ性能を確保し、直進走行時には、ヒステリシスの小さなゴムによりトラクション性能を確保しつつ、中央トレッド部領域の発熱を抑制した自動二輪車用空気入りタイヤが開発されている。
【０００５】
【特許文献１】特開昭６０−９４８０４号公報
【特許文献２】特開２００６−２７３２４０号公報
【特許文献３】特開平１１−１１１１４号公報
【発明の開示】
【発明が解決しようとする課題】
【０００６】
一般に、レースに使用するような高速走行する自動二輪車用空気入りタイヤは、直進走行時にトレッド部のゴム温度が８０〜１００℃といった高温になる。しかし、特許文献１〜３に記載されている空気入りタイヤは、いずれも６０℃近傍におけるトラクション性能及びグリップ性能についての適正化のみが図られており、より高い温度での適正化が図られていないため、例えば、かかる空気入りタイヤをレース用車両に装着して、高速で直進走行する際に耐久性が不足している可能性がある。
【０００７】
したがって、この発明の目的は、トレッド部を構成するトレッドゴムの損失正接の分布を適正化することにより、コーナリング走行する際のグリップ性能を維持しつつも、直進走行する際の高速耐久性の向上した自動二輪車用空気入りタイヤを提供することにある。
【課題を解決するための手段】
【０００８】
上記の目的を達成するため、この発明は、ビードコアを埋設した一対のビード部、ビード部からタイヤ径方向外側に延びる一対のサイドウォール部、及び両サイドウォール部間にまたがって延びるトレッド部を具え、トレッド部は、タイヤ幅方向断面で見て、隣接する領域を構成するゴムの損失正接が相互に異なる、少なくとも４つのトレッド部領域から構成されており、トレッド部領域の内、タイヤ赤道面を含むトレッド部領域である中央トレッド部領域を構成するゴムの損失正接が、他のトレッド部領域を構成するゴムの損失正接よりも小さいことを特徴とする自動二輪車用空気入りタイヤである。このような自動二輪車用空気入りタイヤは、トレッド部を構成するゴムの損失正接の分布が適正化されていることから、コーナリング走行時のグリップ性能を確保しつつも、ゴムの発熱を抑制して、ゴムの過剰な発熱に起因するトレッド部の故障を有効に防止することができるので、直進走行時の高速耐久性を充分に向上させることが可能となる。ここでいう、「損失正接」とは、損失弾性率と動的弾性率の比で表される損失正接（ｔａｎδ）のことであり、かかる損失正接は上島製作所製スペクトロメータを用い、温度１００℃、初期伸長率６％、加振歪率４％、振動数５２Ｈｚの条件下で測定した。
【０００９】
また、トレッド部領域を構成するゴムの損失正接は、タイヤ幅方向外側に位置するトレッド部領域ほど大きいことが好ましい。
【００１０】
更に、他のトレッド部領域を構成するゴムの損失正接が、中央トレッド部領域を構成するゴムの損失正接の１０５〜１５０％の範囲内にあることが好ましい。
【００１１】
更にまた、トレッド部は、中央トレッド部領域、トレッド接地端を含む二つのショルダートレッド部領域、中央トレッド部領域とショルダートレッド部領域とで挟まれる二つの中間トレッド部領域からなることが好ましい。
【００１２】
加えて、中央トレッド部領域の幅はトレッド幅の０．１５〜０．３５倍の範囲内にあり、二つの中間トレッド部領域の幅の和はトレッド幅の０．２５〜０．８０倍の範囲内にあり、二つのショルダートレッド部領域の幅の和はトレッド幅の０．０５〜０．４０倍の範囲内にあることが好ましい。なお、本明細書において、トレッド幅及びトレッド部領域の幅は、タイヤ幅方向断面にてトレッド部のペリフェリに沿って測定した距離をいうものとする。
【００１３】
加えてまた、ショルダートレッド部領域を構成するゴムの損失正接が、中間トレッド部領域を構成するゴムの損失正接の１０５〜１３５％の範囲内にあることが好ましい。
【発明の効果】
【００１４】
この発明によれば、トレッド部を構成するトレッドゴムの損失正接の分布を適正化することにより、コーナリング走行する際のグリップ性能を維持しつつも、直進走行する際の高速耐久性の向上した自動二輪車用空気入りタイヤを提供することが可能となる。
【発明を実施するための最良の形態】
【００１５】
以下、図面を参照しつつこの発明の実施の形態を説明する。図１はこの発明に従う代表的な自動二輪車用空気入りタイヤ（以下「タイヤ」という。）のタイヤ幅方向断面図であり、図２は図１に示すタイヤのタイヤ幅方向断面の斜視図であり、図３〜図５はこの発明に従うその他のタイヤのタイヤ幅方向断面図である。
【００１６】
図１及び図２に示すタイヤは、ビードコアを埋設した一対のビード部１、ビード部１からタイヤ径方向外側に延びる一対のサイドウォール部２、及び両サイドウォール部２の間にまたがって延びるトレッド部３を具える。そのトレッド部３は、タイヤ幅方向断面で見て、隣接する領域を構成するゴムの損失正接が相互に異なる、少なくとも４つのトレッド部領域５、６から構成されている。また、これらトレッド部領域５、６の内、タイヤ赤道面４を含むトレッド部領域である中央トレッド部領域５は、他のトレッド部領域６を構成するゴムの損失正接よりも小さな損失正接を有するゴムで構成されている。このように、コーナリング走行時に他のトレッド部領域６が路面に接地しても、他のトレッド部領域６における損失正接が大きいことから、他のトレッド部領域６を構成するゴムが充分に発熱し、グリップ性能を発揮ために必要な温度域まで温度が上昇することから、グリップ性能を充分に確保することができ、また、直進走行時に中央トレッド部領域５が路面に接地しても、中央トレッド部領域５の損失正接が小さいことから、中央トレッド部領域５における発熱を充分に抑制して、過剰な発熱に起因した中央トレッド部領域５の破壊を防止することができる。なお、１００℃条件下において損失正接を規定しているのは、レースに使用するような高速走行用タイヤが、高速走行する際にトレッド部３のゴム温度が８０〜１００℃といった高温になるためである。
【００１７】
また、トレッド部領域を構成するゴムの損失正接は、タイヤ幅方向外側に位置するトレッド部領域ほど大きいことが好ましい。なぜなら、主に大きなキャンバ角を使用してコーナリング走行する場合には、自動二輪車をバンキングさせればさせるほど、タイヤ幅方向外側に位置するトレッド部領域が路面と接地することとなり、かかる接地域における損失正接が充分に大きくなければ、接地域が充分に発熱せずに、グリップ性能を発揮ために必要な温度域まで温度が上昇しないことから、グリップ性能を充分に確保して、路面との摩擦力と車両の遠心力が抗してバランスをとることができずに、タイヤがスリップする可能性があるからである。もちろん、コーナリング走行時に使用が想定される主たるキャンバ角に応じて、主に接地することが想定されるトレッド部領域の損失正接を大きくするように構成を変更することも可能である。
【００１８】
更に、他のトレッド部領域６を構成するゴムの損失正接が、中央トレッド部領域５を構成するゴムの損失正接の１０５〜１５０％の範囲内にあることが好ましい。なぜなら、他のトレッド部領域６を構成するゴムの損失正接が、中央トレッド部領域５を構成するゴムの損失正接の１０５％未満の場合には、他のトレッド部領域６の損失正接が小さくなり過ぎることから、コーナリング走行時に他のトレッド部領域６における発熱を抑制して、過剰な発熱に起因した故障を防止することができるが、コーナリング走行時には、他のトレッド部領域６の損失正接が小さくなり過ぎることから、他のトレッド部領域６が充分に発熱せず、グリップ性能を発揮するために必要な温度域まで温度が上昇しないので、充分なグリップ性能が得られない可能性があり、一方、他のトレッド部領域６を構成するゴムの損失正接が中央トレッド部領域５を構成するゴムの損失正接の１５０％を超える場合には、他のトレッド部領域６の損失正接が大きくなり過ぎることから、コーナリング走行時に、他のトレッド部領域６が過剰に発熱し、発熱に起因した他のトレッド部領域６の破壊を招く可能性があるからである。
【００１９】
更にまた、図３に示すように、トレッド部３は、中央トレッド部領域５、トレッド接地端を含む二つのショルダートレッド部領域７、中央トレッド部領域５とショルダートレッド部領域７とで挟まれる二つの中間トレッド部領域８からなることが好ましい。なぜなら、中央トレッド部領域５を構成するゴムの損失正接が最も小さく、直進走行する際のトラクション性能及び放熱効果を充分に確保している場合には、コーナリング走行して二輪車をバンキングさせればさせるほど、タイヤ幅方向外側のトレッド部領域の損失正接を大きくして、グリップ性能を得るために必要な温度域までトレッド部領域の温度を上昇させて、グリップ性能を確保する必要があるので、中央トレッド部領域５よりも中間陸部領域８を構成する損失正接を大きくし、中間トレッド部領域８よりもショルダートレッド部領域７を構成する損失正接を大きくすることで、バンキングのキャンバ角に比例したグリップ性能の高さを確保することができるからである。
【００２０】
加えて、中央トレッド部領域５の幅はトレッド幅の０．１５〜０．３５倍の範囲内にあることが好ましく、より好ましくは０．２０〜０．３０倍の範囲内にある。また、二つの中間トレッド部領域８の幅の和はトレッド幅の０．２５〜０．８０倍の範囲内にあることが好ましく、より好ましくは０．３５〜０．７０倍の範囲内にある。更に、二つのショルダートレッド部領域７の幅の和はトレッド幅の０．０５〜０．４０倍の範囲内にあることが好ましく、より好ましくは０．０８〜０．３０倍の範囲内にある。なぜなら、夫々の範囲内から外れる場合には、直進走行時の高速耐久性及びコーナリング走行時のグリップ性能のバランスが偏ることとなり、走行性能が低下する可能性があるからである。
【００２１】
加えてまた、ショルダートレッド部領域７を構成するゴムの損失正接が、中間トレッド部領域８を構成するゴムの損失正接の１０５〜１３５％の範囲内にあることが好ましく、より好ましくは１０５〜１２５％の範囲内にある。なぜなら、ショルダートレッド部領域７を構成するゴムの損失正接が中間トレッド部領域５を構成するゴムの損失正接の１３５％を超える場合には、コーナリング走行時に、ショルダートレッド部領域７が路面に接地しても、その損失正接が大き過ぎることから、ショルダートレッド部領域７の温度が過剰に上昇して、発熱に起因したショルダートレッド部領域７の破壊を招く可能性があり、一方、ショルダートレッド部領域７を構成するゴムの損失正接が中間トレッド部領域８を構成するゴムの損失正接の１０５％未満の場合には、コーナリング走行時に、ショルダートレッド部領域７が路面に接地しても、その損失正接が小さ過ぎることから、ショルダートレッド部領域７が充分に発熱せず、グリップ性能を発揮するために必要な温度域まで温度が上昇しないので、充分なグリップ性能が得られない可能性があるからである。
【００２２】
なお、上述したところはこの発明の実施形態の一部を示したに過ぎず、この発明の趣旨を逸脱しない限り、これらの構成を交互に組み合わせたり、種々の変更を加えたりすることができる。例えば、図４に示すように、トレッド部１が、比較的損失正接の大きいゴムにより構成される左右の中間トレッド部領域８と、これら中間トレッド部領域８に挟まれ、中間トレッド部領域８を構成するゴムよりも小さな損失正接を有するゴムにより構成される中央トレッド部領域５を具え、かかる中間トレッド部領域８のタイヤ幅方向外側であり、ショルダートレッド部領域７を中間トレッド部領域８のタイヤ径方向外側にある表面ゴム層９として積層させることも可能である。なお、表面ゴム層９は中間トレッド部領域８を構成するゴムよりも損失正接の大きなゴムにより構成される。このようなタイヤは、トレッド部を５つのトレッド部領域に分割した図３に示すタイヤと同様に、コーナリング走行時にはグリップ性能が確保され、直進走行時には高速耐久性が充分に確保される。そして、更には、表面ゴム層９が積層している中間トレッド部領域８の損失正接が大きいことから、トレッド部３全体として過剰な発熱を抑制することができ、タイヤの耐久性が向上している。また、図５に示すように、トレッド部３の一方のトレッド半域（図示の例では右半域）のみに表面ゴム層９を配設することができる。
【実施例】
【００２３】
次に、この発明に従うタイヤを試作し、走行性能を評価したので、以下に説明する。
【００２４】
実施例タイヤ１及び２は、図３に示すようにトレッド部を５つのトレッド部領域で構成しており、トレッド部には溝を配設しない、タイヤサイズ１９０／６５０Ｒ１６．５の自動二輪車用空気入りスリックタイヤであり、表１に示す諸元を有する。このとき、表１に示す損失正接の数値は、実施例タイヤの中央トレッド部領域の損失正接を基準値１００として換算して、その他のトレッド部領域における損失正接を相対値で現したものである。なお、実施例タイヤの中央トレッド部領域の損失正接は０．３０である。
【００２５】
【表１】
2008189040.tif 000003
【００２６】
また、比較のため、以下の従来例タイヤ１及び２についても併せて試作した。従来例タイヤ１は、図６に示す構成を具え、表１に示す諸元を有する。更に、従来例タイヤ２は、図７に示す構成を具え、表１に示す諸元を有する。
【００２７】
これら各供試タイヤをサイズＭＴ６．２５×１６．５のリムに取付けてタイヤ車輪とし、テストに使用する１０００ｃｃクラスのレース用車両に装着して、空気圧：２２０ｋＰａ（相対圧）、タイヤ負荷荷重２．０ｋＮを適用し、ドライ路面走行時のトラクション性能及びグリップ性能の評価を行った。なお、コーナリング走行時のグリップ性能は、テストライダーによるフィーリング評価並びに車載の実車計測器によるキャンバ角４５°以上（キャンバ角：大）及び４５°未満（キャンバ角：小）における車速及びスリップ率のデータの比較を行うことにより評価し、また、直進走行時の高速耐久性は、レーシングコースにおいて直進高速走行した際のタイヤの発熱温度及び室内において耐久ドラム試験を行い、トレッド部の破壊の度合いを検証することにより評価した。
【００２８】
なお、各種テストの評価の数値は１０点満点として評価されており、その評価結果は表２に示す。
【００２９】
【表２】
2008189040.tif 000004
【００３０】
表２の結果から明らかなように、実施例タイヤ１、２は、従来例タイヤ１、２に比べ、コーナリング性能は同等もしくは向上しており、高速耐久性は大きく向上している。なお、実施例タイヤ１のキャンバ角が小さいときのコーナリング性能は、従来例タイヤ２のそれよりも若干低下しているが、高速耐久性及びキャンバ角が大きいときのコーナリング性能は向上しており、タイヤの総合的な性能としては向上しているといえる。よって、総合的にみると、実施例タイヤ１、２は、高速耐久性能及びコーナリング性能を高いレベルで両立している。
【産業上の利用可能性】
【００３１】
以上のことから明らかなように、この発明により、トレッド部を構成するトレッドゴムの損失正接の分布を適正化することにより、コーナリング走行する際のグリップ性能を維持しつつも、直進走行する際の高速耐久性が向上している自動二輪車用空気入りタイヤを提供することが可能となった。
【図面の簡単な説明】
【００３２】
【図１】この発明に従う代表的なタイヤのタイヤ幅方向断面図である。
【図２】図１に示すタイヤのタイヤ幅方向断面の一部の斜視図である。
【図３】この発明に従うその他の代表的なタイヤのタイヤ幅方向断面図である。
【図４】この発明に従うその他の代表的なタイヤのタイヤ幅方向断面図である。
【図５】この発明に従うその他の代表的なタイヤのタイヤ幅方向断面図である。
【図６】従来例タイヤのタイヤ幅方向断面図である。
【図７】従来例タイヤのタイヤ幅方向断面図である。
【符号の説明】
【００３３】
１  ビード部
２  サイドウォール部
３  トレッド部
４  タイヤ赤道面
５  中央トレッド部領域
６  他のトレッド部領域
７  ショルダートレッド部領域
８  中間トレッド部領域
９  表面ゴム層
【図１】
2008189040.tif 000005
【図２】
2008189040.tif 000006
【図３】
2008189040.tif 000007
【図４】
2008189040.tif 000008
【図５】
2008189040.tif 000009
【図６】
2008189040.tif 000010
【図７】
2008189040.tif 000011